(57)【特許請求の範囲】
【請求項１】
グリル庫と、グリル庫の開口面に接する前板と、引き出し式のグリル扉と、グリル皿と、前記グリル扉とグリル皿を係合させるためのグリルホルダーとを備え、前記グリル扉を閉じた状態ではグリル扉とグリル扉の周囲の係止部材とが互いに嵌合して、前後方向のズレを防止する構成とし、かつ前記グリルホルダーとグリル皿との間にグリルホルダーがグリル皿に係合したまま上下できる隙間を設けて前記グリル扉と前板とが密着できる構成とした加熱調理器のグリル扉装置。
【請求項２】
グリル扉を構成するグリルハンドル下面と前板に設けた係止部材とに嵌合し合うストッパーを設ける構成とした請求項１記載の加熱調理器のグリル扉装置。
【請求項３】
グリル扉を閉じた状態からグリル扉が下がり始めるまでの引き出し量をＡとし、前板に設けた係止部材の奥行き寸法をＢとした場合にＡ＞Ｂとなるように構成した請求項２記載の加熱調理器のグリル扉装置。
【請求項４】
グリル扉を構成するグリルハンドルと前板に設けた係止部材とにそれぞれ通気できる通気口ならびに通気穴を設け、前記グリルハンドルとグリルガラスとの間に通気隙間を設ける構成とした請求項２または３に記載の加熱調理器のグリル扉装置。
【請求項５】
グリル扉を閉じた状態で前記グリル扉を構成するグリルハンドル下面に突部を設け、前板に設けた係止部材を収納する構成とした請求項２または３または４のいずれかに記載の加熱調理器のグリル扉装置。
【請求項６】
グリル扉を構成するグリルハンドルとグリルハンドルの左右に構成された側面部品を備え、前記グリルハンドルの両横に係合部と前記側面部品に前記係合部が係合する溝を設ける構成とした請求項１記載の加熱調理器のグリル扉装置。
【発明の詳細な説明】
【０００１】
【発明の属する技術分野】
本発明は、加熱調理器のグリル扉装置の構成に関するものである。
【０００２】
【従来の技術】
従来のこの種のグリル扉装置は実公平４−２５０８７号公報に記載されているようなものが一般的であった。このグリル扉装置は図７に示すようにグリル扉２２と調理器本体２３とに、前記グリル扉２２の閉じ位置では互いに係合する雄型２４と雌型２５との各位置決め部材を設けるように構成されている。
【０００３】
そして上記グリル扉２２を閉じた状態の時には、各位置決め部材が嵌合し合い、扉の位置ずれが自動的に補正されて、常に適正の閉じ位置に保つことができるようになっていた。
【０００４】
【発明が解決しようとする課題】
しかしながら上記従来のグリル扉装置では、位置決め部材である雄型２４と雌型２５との嵌合による上下の位置ずれの規正はされるが引き出し方向への位置規正が無いためにグリル扉とグリル庫との密着が必ずしも得られないので、グリル扉の引き出し方向への位置ずれがおこった時や前板が垂直面に対して傾いた場合にグリル庫内の熱気や調理時の煙が機器前面に漏れるという課題があった。
【０００５】
【課題を解決するための手段】
本発明は上記課題を解決するために、グリル扉が閉じられた状態の時にグリル扉とその周辺の係止部材が嵌合し合う構成とし、グリル扉とグリル皿とを係合するためのグリルホルダーがグリル皿との間に係合したまま上下できる隙間をとる構成としたものである。
【０００６】
上記発明によればグリル扉が閉じられた状態ではグリル扉とその周辺の係止部材が互いに嵌合するため、グリル扉と前板とが密着するとともに引き出し方向へのズレを防止することができる。また、前板が垂直面に対して傾いている場合にもグリルホルダーがグリル皿に係合したまま上下できるようにグリルホルダーの後端が浮き上がり、前板とグリル扉との密着を保持するため、部品や組み立てのバラツキによる前板とグリル扉との隙間が発生することを防止することができる。
【０００７】
【発明の実施の形態】
本発明の目的は各請求項に記載した構成を実施の形態とすることにより達成できるので、以下には各請求項の特徴とする構成に作用を併記して実施の形態の意義を説明することとする。
【０００８】
本発明の請求項１にかかる加熱調理器のグリル扉装置は、グリル庫と、グリル庫の開口面に接する前板と、引き出し式のグリル扉と、グリル皿と、前記グリル扉とグリル皿を係合させるためのグリルホルダーとを備え、前記グリル扉を閉じた状態ではグリル扉とグリル扉の周囲の係止部材とが互いに嵌合して前後方向のズレを防止する構成とし、かつ前記グリルホルダーとグリル皿との間にグリルホルダーがグリル皿に係合したまま上下できる隙間を設けて前記グリル扉と前板とが密着できる構成とした。
【０００９】
すなわち、前記グリル扉を閉じた状態でグリル扉とグリル扉の周囲の係止部材が嵌合するため、前後方向のズレを防止して、前記グリル扉と前板との密着を保持することができる。
【００１０】
また、前板が垂直面に対して傾いた場合に前記グリルホルダーの後端がグリル皿との隙間の範囲で上下に移動するため、グリル扉と前板との密着を保持することができる。
【００１１】
本発明の請求項２にかかる加熱調理器のグリル扉装置は、グリル扉を構成するグリルハンドル下面と前板に設けた係止部材とに嵌合し合うストッパーを設ける構成とした。
【００１２】
そして、ストッパーをグリル扉下面に設けたために容易にグリル扉の上下位置規正をすることができる。
【００１３】
本発明の請求項３にかかる加熱調理器のグリル扉装置は、グリル扉を閉じた状態からグリル扉が下がり始めるまでの引き出し量をＡとし、前板に設けた係止部材の奥行き寸法をＢとした場合に、Ａ＞Ｂとなるように構成した。
【００１４】
そして、グリル扉の開閉時にグリル扉が上下する際、係止部材にグリル扉が当たることがなくなるため、スムーズな開閉を実現することができる。
【００１５】
本発明の請求項４にかかる加熱調理器のグリル扉装置は、グリル扉を構成するグリルハンドルと前板に設けた係止部材とにそれぞれ通気できる通気口ならびに通気穴を設け、前記グリルハンドルとグリルガラスとの間に通気隙間を構成した。
【００１６】
そして、グリルハンドルと係止部材とに設けた通気口ならびに通気穴からグリルハンドルとグリルガラスとの間の通気隙間へ空気の流れが形成されるため、グリルハンドル及びグリルガラスを冷却することができる。
【００１７】
本発明の請求項５にかかる加熱調理器のグリル扉装置は、グリル扉を構成するグリルハンドルの下面に突部を設ける構成とした。
【００１８】
そして、グリル扉を閉じた状態でグリルハンドル下面に前板に設けた係止部材を収納するため、外観上見栄えの良い加熱調理器を提供することができる。
【００１９】
本発明の請求項６にかかる加熱調理器のグリル扉装置は、グリル扉を構成するグリルハンドルとグリルハンドルの左右に構成された側面部品を備え、前記グリルハンドルの両横に係合部と前記側面部品に前記係合部が係合する溝を設けることとした。
【００２０】
そして、側面部品以外に特別な部材を設ける必要がなくなるため、構成を簡素にすることができる。
【００２１】
【実施例】
以下、本発明の実施例について、図面を用いて説明する。
【００２２】
（実施例１）
図１、図２は本発明の実施例１の加熱調理器のグリル扉装置の要部を示す断面図である。
【００２３】
図１〜図２において、１はグリル庫、２は前板、３はグリルハンドル、４はグリルガラスを備えたグリル扉、５は係止部材、６はグリルホルダー、７はグリル皿、８は係止部材５に設けたストッパー、９はグリルハンドルの開口を示す。
【００２４】
次に動作、作用について説明すると、グリル扉４にグリルホルダー６が取り付けられた状態で前記グリルホルダー６の後部突出部１０がグリル皿７の後部に設けられた開口に係合し、グリル庫１に収納されている。前記グリル扉４を引き出すとグリル皿７も同時に引き出されるとともにグリルホルダー６の形状によってグリル扉４が下がり、使用者がグリル皿７上の調理物を取り出す時に手がグリル扉４に当たらないようになっている。
【００２５】
グリル扉４を閉じた状態のとき、前板２の下部に設けられた係止部材５のストッパー８と、グリル扉４を構成するグリルハンドル３の下部に設けた開口９とが嵌合しグリル扉４が引き出し方向にズレないようになっている。
【００２６】
また、グリルホルダー６後部の位置決め部１１とグリル皿７との間に隙間１２を設けることによって、図２に示すように前板２が加工や組み立てのバラツキによって傾いた場合でもグリルホルダー６を中心に回転し、グリル扉４と前板２との密着を保持するため、グリル扉４からの熱気漏れや煙漏れを防ぐことができる。
【００２７】
（実施例２）
図３は本発明の実施例２の加熱調理器のグリル扉装置の要部の移動状態を示す部分断面図である。
【００２８】
本実施例２において、実施例１と異なる点はグリル扉４を引き出す時にグリルホルダー６の形状によって前記グリル扉４が水平に移動する寸法をＡ、部材５が前板２の前面より突出している寸法をＢとした時にＡ＞Ｂの寸法関係になるように構成した点である。
【００２９】
なお、実施例１と同一符号の部分は同一構造を有し、説明は省略する。
【００３０】
次に動作、作用について説明すると、グリル扉４を引き出す場合、Ａ寸法分は水平に移動しその後引き出すにつれてグリル扉４は下がっていく。また、グリル扉４を閉じる場合も前板２前面からＡの距離でグリル扉４は水平に移動するようになり、係止部材５のストッパー８とグリルハンドル３の開口９とが嵌合する時には前記ストッパー８と開口９との上下位置関係が確実に保持される。
【００３１】
（実施例３）
図４は本発明の実施例３の加熱調理器のグリル扉装置の要部を示す断面図である。
【００３２】
本実施例３において、実施例１と異なる点はグリルハンドル３に通気口１３と係止部材５に通気穴１４を設け、グリルハンドル３とグリルガラス１５との間に通気隙間１６を設ける構成としたことである。
【００３３】
なお、実施例１と同一符号の部分は同一構造を有し、説明は省略する。
【００３４】
次に動作、作用について説明すると、係止部材５の通気穴１４からグリルハンドル内に吸入された外気はグリルハンドル３の開口９を通過して通気隙間１６から排出される。同様にグリルハンドル３の通気口１３から吸入された外気も通気隙間１６から排出される。このような空気の流れにより、調理中温度が上昇するグリルハンドル３を冷却することができる。
【００３５】
（実施例４）
図５は本発明の実施例４の加熱調理器のグリル扉装置の要部を示す断面図である。
【００３６】
本実施例４において、実施例１と異なる点はグリルハンドル３の下面に突起部１７を設けた点である。
【００３７】
なお、実施例１と同一符号の部分は同一構造を有し、説明は省略する。
【００３８】
次に動作、作用について説明すると、ストッパー８を構成する係止部材５がグリルハンドル３の突起部１７に隠れるため、外観上見栄えが良くなる。
【００３９】
（実施例５）
図６は本発明の実施例５の加熱調理器のグリル扉装置の要部を示す側面図である。
【００４０】
本実施例５において、実施例１と異なる点は側面部品１８に凸形状の係合部１９を設け、グリルハンドル３に前記係合部１９と嵌合する凹形状の溝２０が設けられている点である。
【００４１】
なお、実施例１と同一符号の部分は同一構造を有し、説明は省略する。
【００４２】
次に動作、作用について説明すると、グリル扉４を閉じると凸形状の係合部１９と凹形状の溝２０が嵌合し合う。このとき前記係合部１９と溝２０との接点２１によってグリル扉４の引き出し方向へのズレを防止している。
【００４３】
【発明の効果】
以上説明したように本発明の請求項１記載に係る加熱調理器のグリル扉装置は、グリル庫と、グリル庫の開口面に接する前板と、引き出し式のグリル扉と、グリル皿と、前記グリル扉とグリル皿を係合させるためのグリルホルダーとを備え、前記グリル扉を閉じた状態ではグリル扉とグリル扉の周囲の係止部材とが互いに嵌合し合い、前記グリルホルダーとグリル皿との間にグリルホルダーがグリル皿に係合したまま上下できる隙間を設ける構成としているので、グリル扉を閉じた状態での引き出し方向へのズレを防ぐことができるとともに、組み立て等のバラツキによって前板が傾いた場合でも前記グリル扉と前板との密着を保持できるという効果がある。
【００４４】
また、請求項２に係る加熱調理器のグリル扉装置は、グリル扉を構成するグリルハンドル下面と前板に設けた係止部材とに嵌合し合うストッパーを設ける構成としているので、グリル扉の上下位置規正も同時にできるという効果がある。
【００４５】
また、請求項３に係る加熱調理器のグリル扉装置は、前板に設けた係止部材の奥行きがグリル扉を閉じた状態からグリル扉が下がり始めるまでの引き出し量より小さい寸法となる構成としているので、グリル扉の開閉時にグリル扉が上下する際、係止部材にグリル扉が当たることがなくなるため、スムーズな開閉を実現することができるという効果がある。
【００４６】
また、請求項４に係る加熱調理器のグリル扉装置は、グリル扉を構成するグリルハンドルと前板に設けた係止部材とにそれぞれ通気できる通気口ならびに通気穴を設け、前記グリルハンドルとグリルガラスとの間に通気隙間を設ける構成としているので、グリルハンドルと係止部材とに設けた通気口ならびに通気穴からグリルハンドルとグリルガラスとの間の通気隙間へ空気の流れが形成されるため、グリルハンドルを冷却することができるという効果がある。
【００４７】
また、請求項５に係る加熱調理器のグリル扉装置は、グリル扉を構成するグリルハンドル下面に突部を設ける構成としているので、グリル扉を閉じた状態でグリルハンドル下面に前板に設けた係止部材を収納するため、外観上見栄えの良い加熱調理器を提供することができるという効果がある。
【００４８】
また、請求項６に係る加熱調理器のグリル扉装置は、グリル扉を構成するグリルハンドルとグリルハンドルの左右に構成された側面部品を備え、前記グリルハンドルの両横に係合部と前記側面部品に前記係合部が係合する溝を設ける構成としているので、係合を構成するための特別な部材を設ける必要がなくなるため、構成を簡素にすることができるという効果がある。
【図面の簡単な説明】
【図１】本発明の実施例１における加熱調理器のグリル扉装置の側面断面図
【図２】同加熱調理器のグリル扉装置の要部の側面断面図
【図３】本発明の実施例２における加熱調理器のグリル扉装置の要部断面図
【図４】本発明の実施例３における加熱調理器のグリル扉装置の要部断面図
【図５】本発明の実施例４における加熱調理器のグリル扉装置の要部断面図
【図６】本発明の実施例５における加熱調理器のグリル扉装置の要部側面図
【図７】従来の加熱調理器のグリル扉装置の外観斜視図
【符号の説明】
１  グリル庫
２  前板
３  グリルハンドル
４  グリル扉
５  係止部材
６  グリルホルダー
７  グリル皿
８  ストッパー
９  開口
１１  位置決め部
１２  隙間
１３  通気口
１４  通気穴
１６  通気隙間
１７  突起部
１８  側面部品
１９  係合部
２０  溝
【図１】
0004442031.tif 000002
【図２】
0004442031.tif 000003
【図３】
0004442031.tif 000004
【図４】
0004442031.tif 000005
【図５】
0004442031.tif 000006
【図６】
0004442031.tif 000007
【図７】
0004442031.tif 000008